(57)【要約】【課題】  電子ビューファインダ（ＥＶＦ）を使用した撮影と、撮影後の画像確認を快適に行える撮像装置を提供すること。【解決手段】  被写体の光学像を電気信号に変換する光電変換素子と、前記光電変換素子より生成された電気信号を静止画像信号に変換する画像処理手段と、前記画像処理手段から生成された被写体の静止画像を記録する記録手段と、画像を表示するための第一の表示手段と、撮影者が被写体を確認するためのファインダと、ファインダに対する撮影者の接眼状態と非接眼状態を検知する接眼検知手段とを有し前記接眼検知手段により、撮影者の非接眼状態を検知すると第一の表示手段に対して、接眼時に撮影した静止画像を一覧表示させる制御手段と、を備えた撮像装置。【選択図】  図１
2019169822.tif 000002
【特許請求の範囲】
【請求項１】
被写体の光学像を電気信号に変換する光電変換素子（２３）と、
前記光電変換素子より生成された電気信号を静止画像信号に変換する画像処理手段（２７、２８）と、
前記画像処理手段から生成された被写体の静止画像を記録する記録手段（２９）と、
画像を表示するための第一の表示手段（２６）と、
撮影者が被写体を確認するためのファインダ（４０）と、
ファインダに対する撮影者の接眼状態と非接眼状態を検知する接眼検知手段（４１）とを有し
前記接眼検知手段（４１）により、撮影者の非接眼状態を検知すると
第一の表示手段（２６）に対して、接眼時に撮影した静止画像を一覧表示させる制御手段と、を備えた撮像装置。
【請求項２】
請求項１に記載の撮像装置において、
前記ファインダ（４０）は、電子的に被写体を表示する第二の表示手段を備え、
前記第二の表示手段に対して、撮影者の接眼状態を検知した場合、常にリアルタイムな被写体像を表示させる制御手段と、を備えた撮像装置。
【請求項３】
請求項１または２に記載の撮像装置において、
撮影者が接眼状態において撮影した画像に対して、
表示確認情報を関連付ける情報付与手段（２９）を有し
撮影者の非接眼状態を検知すると、表示確認情報が付与された画像を第一の表示手段（２６）に対して一覧表示し、一覧表示した画像の表示確認情報を消去する手段（２９）と、を備えた撮像装置。
【請求項４】
請求項１または２に記載の撮像装置において、
撮影者が事前に設定した最大枚数を
第一の表示手段（２６）に対して一覧表示することを特徴とする撮像装置。
【請求項５】
請求項１または２に記載の撮像装置において
一覧表示中の画像を撮影者が選択すると
詳細画像表示状態へ遷移する（Ｓ１１８）ことを特徴とする撮像装置。
【請求項６】
請求項１または２に記載の撮像装置において
第一の表示手段（２６）に撮影画像を一覧表示中に、撮影者の接眼状態（４１）を検知すると、一覧表示を終了し、第二の表示手段（４０）にリアルタイムな被写体像を表示する（Ｓ１１４→Ｓ１０４）ことを特徴とする撮像装置。
【発明の詳細な説明】
【技術分野】
【０００１】
本発明は、接眼検知センサを有する電子ビューファインダ（ＥＶＦ）と液晶ディスプレイ（ＬＣＤ）の２つの表示手段を持った撮像装置において、撮影及び撮影後の画像表示方法に関するものである。
【背景技術】
【０００２】
従来から、接眼検知センサを有する電子ビューファインダ（ＥＶＦ）と液晶ディスプレイ（ＬＣＤ）の２つの表示手段を持ったデジタルカメラ等の電子カメラが商品化されている。このような電子カメラでは、撮影動作直後に撮影画像を自動的に一定時間表示するクイックレビュー機能を有しているのが一般的である。
【０００３】
クイックレビュー機能を有する電子カメラでは、クイックレビュー機能を有効にしている限り撮影動作直後の画像確認表示が一定時間行われる。特に電子ビューファインダ（ＥＶＦ）を使用した撮影の場合、撮影画像が一定時間表示されることで、被写体の確認が不可能になり、撮影に集中できないという課題がある。
【０００４】
この課題の対策として、例えば特許文献１には、撮影動作後にレリーズスイッチの一段目のスイッチが押されているか否かにより次の状態が変化するようにしたものが開示されている。レリーズスイッチの一段目のスイッチＳＷ１が押されていない時には、すぐに撮影された画像を表示し、撮影済みの画像の確認がすぐに行えるようにしている。それに対して、撮影動作後、又は撮影動作後の画像確認中において、レリーズスイッチの一段目のスイッチＳＷ１が押された時には、画像表示を撮像手段に結像したリアルタイムな動画像に切り換えるようにしている。
【０００５】
また、特許文献２のように、接眼検知センサを用いて、ファインダに対する撮影者の接眼状態及び非接眼状態を検出し、非接眼状態を検知すると、直前の撮影画像を液晶ディスプレイに表示させるようにしたものが開示されている。
【先行技術文献】
【特許文献】
【０００６】
【特許文献１】特開平１０−１９１１１９号公報
【特許文献２】特開２００７−３３６４４７号公報
【発明の概要】
【発明が解決しようとする課題】
【０００７】
しかしながら、特許文献１記載の制御方法では、レリーズスイッチの一段目のスイッチＳＷ１はオートフォーカス測距開始スイッチと兼用していることが多く、測距位置を変える場合、ＳＷ１の押し込を解除する必要がある。その際に、撮影画像が表示されてしまい、被写体の確認が不可能になるという問題がある。また、特許文献２では、直前の撮影画像を表示させるのみなので、ファインダ接眼中に複数枚撮影した場合、非接眼検出時の撮影画像の確認に手間がかかる。
【０００８】
そこで本発明は、上記のような問題を解決するためになされたもので、電子ビューファインダ（ＥＶＦ）を使用した撮影と、撮影後の画像確認を快適に行えるようにすることを目的とする。
【課題を解決するための手段】
【０００９】
本発明の撮像装置は以下のような構成を備える。即ち
被写体の光学像を電気信号に変換する光電変換素子と、前記光電変換素子より生成された電気信号を静止画像信号に変換する画像処理手段と、前記画像処理手段から生成された被写体の静止画像を記録する記録手段と、画像を表示するための第一の表示手段と、撮影者が被写体を確認するためのファインダと、ファインダに対する撮影者の接眼状態と非接眼状態を検知する接眼検知手段とを有し前記接眼検知手段により、撮影者の非接眼状態を検知すると第一の表示手段に対して、接眼時に撮影した静止画像を一覧表示させる制御手段と、を備えた撮像装置
また前記撮像装置において、前記ファインダは、電子的に被写体を表示する第二の表示手段を備え、前記第二の表示手段に対して、撮影者の接眼状態を検知した場合、常にリアルタイムな被写体像を表示させる制御手段と、を備えた撮像装置。
【発明の効果】
【００１０】
本発明によれば、電子ビューファインダ（ＥＶＦ）を使用した撮影と、撮影後の画像確認を快適に行うことが出来る。
【図面の簡単な説明】
【００１１】
【図１】本発明の撮像装置の一実施形態としてのデジタルカメラの概略の構成を示すブロック図である。
【図２】図１の撮像装置の表示モニタ、電子ビューファインダ（ＥＶＦ）及び接眼検知センサの配置を示す図である。
【図３】本発明の撮像装置の画像表示制御を説明するフローチャートを示す図である。
【図４】本発明の撮像装置の表示モニタに撮影画像を一覧表示する一例を示す図である。
【発明を実施するための形態】
【００１２】
以下、本発明の実施形態について、図面を参照しながら詳細に説明する。
【００１３】
図１は、本発明の撮像装置の一実施形態としてのデジタルカメラ（以下、カメラという）の概略の構成を示すブロック図である。交換レンズ５０は、カメラ１００側のマウント部２１０と交換レンズ５０側のマウント部５１によって、カメラ１００に対して着脱可能に固定される。交換レンズ５０がカメラ１００に装着されると、カメラ１００の接点部２２０と交換レンズ５０の接点部５２が電気的に接続される。
【００１４】
交換レンズ５０の撮像光学系５３を透過した光束は、光学ローパスフィルター２１を透過し、撮像素子２３へ照射される。光学ローパスフィルター２１の前方にはシャッタユニット２０が配置されている。撮像素子ホルダー（不図示）は、ビス（不図示）によってカメラ１００の筐体に固定されている。撮像素子２３は、撮像素子ホルダー(不図示)によって保持されている。表示モニタ２６は、液晶ディスプレイで構成されたモニタであり、撮影画像の表示や、カメラ１００の各種設定状態の表示を行う。
【００１５】
このカメラシステムは、撮像系、画像処理系、記録／ 再生系及び制御系を有している。撮像系は、撮影光学系５３及び固体撮像部２３を有する。画像処理系は、Ａ／Ｄ 変換処理部２７ 、映像信号処理部２８を有する。また記録再生系は、記録処理部２９及び再生処理部３０を有する。更に制御系は、カメラシステム制御部（制御手段）３１、操作検出部３２ 、撮像駆動部３３を有する。３４は、外部のコンピュータ等に接続され、データの送受信を行うために規格化された接続端子である。上述した電気回路は、不図示の電池からの電力供給を受けて駆動する。
【００１６】
撮像系は、物体からの光を、撮影光学系５３を介して撮像素子２３の撮像面に結像させる光学処理系である。この撮影光学系５３に設けられた絞り３５の駆動を制御するとともに、必要に応じてシャッタユニット２０の駆動をシャッタ制御部１３及びシャッタ駆動回路14a、14bを介して行うことによって、適切な光量の物体光を撮像素子２ ３ で受光させることができる。撮像素子２３から読み出された信号は、Ａ ／ Ｄ変換処理部２７を介して映像処理系に供給される。この映像処理系での画像処理によって画像データが生成される。映像信号処理部２８は、デジタル化された画像データに対してガンマ／ニー処理、フィルタ処理、モニタ表示用の情報合成処理等、ハードウエアによる画像処理全般を実行する。
【００１７】
また、映像信号処理部２８で処理された被写体のリアルタイム画像を電子ビューファインダ(EVF)４０に表示する。電子ビューファインダ(EVF)４０の近傍に接眼検出センサ４１が配置され、撮影者の接眼状態及び非接眼状態の検知が可能となっている。図２に表示モニタ２６、電子ビューファインダ（ＥＶＦ）４０及び接眼検知センサ４１の配置の一例を示す。
【００１８】
記録／再生系は、メモリ（不図示）への画像信号の出力と、表示モニタ２６への画像信号の出力とを行う処理系である。記録処理部２９はメモリへの画像信号の書き込み処理及び読み出し処理を行う。記録処理部２９は、静止画データ及び動画データを表わすＹＣ信号を所定の圧縮形式で圧縮するとともに、圧縮されたデータを伸張させる圧縮伸張回路を内部に有する。圧縮伸張回路は、信号処理のためのフレームメモリ等を有しており、このフレームメモリに画像処理系からのＹＣ信号をフレーム毎に蓄積し、複数のブロックのうち各ブロックから蓄積された信号を読み出して圧縮符号化する。この圧縮符号化は、例えば、ブロック毎の画像信号を２次元直交変換、正規化及びハフマン符号化することにより行われる。
【００１９】
また、記録処理部２９は電子ビューファインダ(EVF)４０接眼時に撮影した画像に対して、表示確認情報を付加する。この表示確認情報は、本発明に係る画像一覧表示の判定に用いられる。一覧表示を行った画像に対しては、この表示確認情報を消去する。再生処理部３０はメモリから読み出した画像信号を再生して、表示モニタ２６に出力する。また、撮影画像の一覧表示を行う場合は、表示確認情報が付加された画像を検出し、表示モニタ２６へ一覧表示を行う。
【００２０】
制御系における操作検出部３２は、メインスイッチ、レリーズボタン、モード切り換えスイッチ（ いずれも不図示） 等の操作を検出して、この検出結果をカメラシステム制御部３１に出力する。カメラシステム制御部３１は、マイクロコンピュータ等のＣＰＵ３６、ＣＰＵ３６により実行されるプログラムやデータを記憶しているＲＯＭ３７ 、そしてワークエリアとして使用され各種データを一時的に記憶するＲＡＭ３８を有している。タイマ３９は、ＣＰＵ３６により指示された時間の経過を測定し、その指示された時間が経過すると割り込み等によりＣＰＵ３６に通知する。
【００２１】
また、このカメラシステム制御部３１は、操作検出部３２からの検出信号を受けることで、その検出結果に応じた動作を行う。また、カメラシステム制御部３１は、撮像動作を行う際のタイミング信号を生成して、撮像駆動部３３に出力する。撮像駆動部３３は、カメラシステム制御部３１からの制御信号を受けることで撮像素子２３を駆動させるための駆動信号を生成する。
【００２２】
この制御系は、カメラ１００に設けられた各種スイッチの操作に応じて撮像系、画像処理系及び記録再生系での駆動を制御する。例えば、レリーズボタン（不図示）の操作によって、制御系（カメラシステム制御部３１）は、撮像素子２３の駆動、映像信号処理部２８の動作、記録処理部２９ の圧縮処理等を制御する。
【００２３】
次に、撮影レンズで構成される撮影光学系５３の焦点調節動作に関して説明する。交換レンズ５０はカメラ１００に装着することで、カメラシステム制御部３１は、マウント接点５２、２２０を介して交換レンズ５０のレンズシステム制御部４２と電気的に接続される。撮像素子２３内部に配置された焦点検出素子（不図示）は、検出信号を映像信号処理部２８へ出力する。映像処理部２８はこの焦点検出素子からの出力信号に基づいて焦点検出信号を生成し、撮影光学系５３の焦点調節状態（デフォーカス量）を検出する。
【００２４】
映像処理部２８は、その検出したデフォーカス量を撮影光学系５３の一部の要素であるフォーカスレンズの駆動量に変換し、フォーカスレンズの駆動量に関する情報を、カメラシステム制御部３１を介してレンズシステム制御部４２に送信する。
【００２５】
一方、カメラシステム制御部３１が、撮像素子２３の出力信号に基づいて物体の輝度が低く十分な焦点検出精度が得られないと判定すると、閃光発光ユニット（ 不図示）を駆動し物体を照明する。また、閃光発光ユニットの代わりに、カメラ１００に設けられた白色ＬＥＤや蛍光管（ いずれも不図示） を用いて照明してもよい。レンズシステム制御部４２は、カメラシステム制御部３１からフォーカスレンズの駆動量に関する情報を受信すると、交換レンズ５０内に配置されたＡＦモータ４３の回転を制御する。
【００２６】
これにより、駆動機構を介してフォーカスレンズを駆動量の分だけ光軸Ｌ１方向に移動させて、撮影光学系５３を合焦状態にできる。またレンズシステム制御部４２ は、カメラシステム制御部３１ から露出値（絞り値）に関する情報を受信すると、交換レンズ５０の絞り駆動アクチュエータ４４を駆動させる。絞り駆動アクチュエータ４４の駆動を制御することによって、その絞り値に応じた絞り開口径となるように絞り３５を動作させる。
【００２７】
またシャッタ制御部１３は、カメラシステム制御部３１からのシャッタ速度に関する情報を受信すると、その指示されたシャッタ速度になるように、シャッタユニット２０の先幕及び後幕を動作させる。このように、シャッタユニット２０と絞り３５の動作により、適切な光量の被写体光を撮像素子２３の結像面に入射させることができる。
【００２８】
また映像信号処理部２８において物体にピントが合ったことが検出されると、この情報はカメラシステム制御部３１に送信される。このとき、レリーズボタン（ 不図示） の操作によって、上述したように撮像系、画像処理系及び記録再生系によって撮影動作が行われる。
【００２９】
以下、本実施形態の趣旨である撮像装置の動作を図３に示すフローチャートを参照して説明する。
【００３０】
図３は、本発明の実施形態を係るカメラ１００のカメラシステム制御部３１による制御処理を説明するフローチャートである。この処理を実行するプログラムはカメラシステム制御部３１のＲＯＭ３７に記憶されており、ＣＰＵ３６の制御の下に実行される。まずステップＳ１００で電源スイッチ（不図示）がＯＮ状態かどうかを検出する。電源スイッチがＯＮされるとステップＳ１０１へ進む。ステップＳ１０１でカメラを撮影待機状態にする。ステップＳ１０２で撮影者が電子ビューファインダ（ＥＶＦ）４０へ接眼し、接眼検知センサ４１が接眼を検知すると、ステップＳ１０４へ進む。
【００３１】
接眼が検出されずに、ステップＳ１０３で電源スイッチがＯＦＦされるとカメラは停止状態となる。一方で電源スイッチがＯＦＦされなければステップＳ１０１へ戻りカメラ撮影待機状態となる。ステップＳ１０４では電子ビューファインダ（ＥＶＦ）４０に被写体のリアルタイム像の表示を開始する。ステップＳ１０５で電源スイッチがＯＦＦされれば、ステップＳ１０６で撮影画像に付加した表示確認情報を消去し、カメラは停止状態とする。撮影者が接眼状態のままステップＳ１０８でレリーズを行うとステップＳ１０９へ進み撮影画像が記録される。
【００３２】
ステップＳ１１０では撮影画像に対して表示確認情報を付加する。その後、ステップＳ１０４へ戻り、電子ビューファインダ（ＥＶＦ）４０は被写体のリアルタイム像表示を継続する。ステップＳ１０７で撮影者が電子ビューファインダ（ＥＶＦ）４０から非接眼状態となり、接眼検知センサ４１が非接眼状態を検出するとステップＳ１１１へ進む。ステップＳ１１１で電子ビューファインダ（ＥＶＦ）４０の表示を停止し、ステップＳ１１２へ進む。ステップＳ１１２では、表示確認情報が付加された撮影画像を検出し、表示モニタ２６へ一覧表示する。
【００３３】
図４に表示モニタ２６へ一覧表示する一例を示す。撮影者が予め設定した最大表示枚数を表示モニタ２６に一覧表示（２５）する。ここでは６枚表示設定の場合。最大表示枚数を超える枚数の表示確認情報付加画像が有る場合、一覧表示画面の切り替えボタン２４を表示する。ステップＳ１１３へ進み一覧表示した画像の表示確認情報を消去する。一覧表示中に、ステップＳ１１４で撮影者が電子ビューファインダ（ＥＶＦ）４０へ接眼し、接眼検知センサ４１が接眼を検知すると、ステップＳ１０４へ進み、被写体のリアルタイム像の表示を開始する。
【００３４】
また、一覧表示中にステップＳ１１５で電源スイッチがＯＦＦされればカメラは停止状態となる。ステップＳ１１６で撮影者が一覧表示中の画像を選択すると、ステップＳ１１８へ進み、撮影画像の詳細確認画面を表示モニタ２６へ表示する。撮影画像の詳細確認画面表示中にステップＳ１１９で電源スイッチがＯＦＦされればカメラは停止状態となる。ステップＳ１２０で撮影画像詳細確認が終了すると、ステップＳ１００へ戻りカメラ待機状態となる。また、一覧画像表示中にステップＳ１１７で撮影画像一覧を終了すると、ステップＳ１００へ戻りカメラ待機状態となる。
【００３５】
以上説明したように本実施の形態によれば、電子ビューファインダ（ＥＶＦ）を使用した撮影と、撮影後の画像確認を快適に行うことが出来る。
【００３６】
以上、本発明の好ましい実施形態について説明したが、本発明はこれらの実施形態に限定されず、その要旨の範囲内で種々の変形及び変更が可能である。なお、カメラシステム制御部３１が行うものとして説明した上述の各種制御は１つのハードウエアが行ってもよいし、複数のハードウエア（例えば、複数のプロセッサーや回路）が処理を分担することで、装置全体の制御を行ってもよい。
【００３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００３９】
２３    撮像素子
２６    表示モニタ
２７    Ａ／Ｄ変換処理部
２８    映像信号処理部
２９    記録処理部
４０    電子ビューファインダ
４１    接眼検知センサ
５０    交換レンズ
１００  カメラ
【図１】
2019169822.tif 000003
【図２】
2019169822.tif 000004
【図３】
2019169822.tif 000005
【図４】
2019169822.tif 000006